(57)【要約】【課題】  加熱膨張による破裂防止のための逃圧機構を備えた電子レンジ対応の食品用包装袋とする。【解決手段】  前面フィルム１および後面フィルム２を重ね合わせて底部、両側部の３辺をヒートシールし、残りの一辺を内容物を充填するための開放部とした状態で製袋するとともに、内容物を充填後に封止するための封止箇所を上記開放部に設け、少なくとも一方の側部のヒートシール部Ｈ１に一端が側部端に達して開口する未シール部５を設けた包装袋において、一側が前面フィルムと後面フィルム間にして未シール部を含む一方の側部のヒートシール部に、他側が前面フィルムと後面フィルム間にして他方の側部のヒートシール部に積層されるオレフィン系フィルム４を設け、上記オレフィン系フィルムは加熱によりヒートシール強度が低下する性質の素材により構成する。【選択図】  図２
2019104497.tif 000002
【特許請求の範囲】
【請求項１】
前面フィルムおよび後面フィルムを重ね合わせて底部、両側部の３辺をヒートシールし、残りの一辺を内容物を充填するための開放部とした状態で製袋するとともに、内容物を充填後に封止するための封止箇所を上記開放部に設け、少なくとも一方の側部のヒートシール部に一端が側部端に達して開口する未シール部を設けた包装袋において、一側が前面フィルムと後面フィルム間にして未シール部を含む一方の側部のヒートシール部に、他側が前面フィルムと後面フィルム間にして他方の側部のヒートシール部に積層されるオレフィン系フィルムを設けたことを特徴とする電子レンジ対応型包装袋。
【請求項２】
一側が前面フィルムと後面フィルム間にして未シール部を含む一方の側部のヒートシール部に、他側が前面フィルムと後面フィルム間にして他方の側部のヒートシール部に積層されるオレフィン系フィルムはＰＰまたはＰＥを主原料としたイージーピールフィルムである請求項１記載の電子レンジ対応型包装袋。
【請求項３】
一側が前面フィルムと後面フィルム間にして未シール部を含む一方の側部のヒートシール部に、他側が前面フィルムと後面フィルム間にして他方の側部のヒートシール部に積層されるオレフィン系フィルムの形状は帯状である請求項１または２記載の電子レンジ対応型包装袋。
【請求項４】
未シール部は包装袋の上側寄りに位置する請求項１から３のいずれかに記載の電子レンジ対応型包装袋。
【請求項５】
一側が前面フィルムと後面フィルム間にして未シール部を含む一方の側部のヒートシール部に、他側が前面フィルムと後面フィルム間にして他方の側部のヒートシール部に積層されるオレフィン系フィルムを前面フィルムまたは後面フィルムの一方にヒートシールにより固着した請求項１から４のいずれかに記載の電子レンジ対応型包装袋。
【請求項６】
側部のヒートシール部に包装袋の中央方向に突出した半島状の突出部を設け、未シール部の他端が上記突出部の領域内に達するようにした請求項１から５のいずれかに記載の電子レンジ対応型包装袋。
【発明の詳細な説明】
【技術分野】
【０００１】
本願発明は、合成樹脂フィルムからなる包装袋に関し、より詳細には電子レンジで加熱可能な食品を包装袋内に収容した状態で流通に供する際に使用される食品用包装袋に関する。
【背景技術】
【０００２】
合成樹脂フィルムからなる電子レンジに対応する包装袋に食品を収容した後に密封し、密封した状態で流通に供される包装詰め食品が公知であり、特にレトルト食品を収容したパウチが普及している。この種の包装詰め食品においては、食品を購入した消費者は包装袋を開封しないで密封した状態でそのまま電子レンジにかけて内部の食品を加熱する。そのため、加熱により食品から蒸散される水蒸気や、包装袋内の空気の熱膨張により包装袋の内圧が高まって膨らみ、遂には破裂して、レンジ内に食品等が散乱する事故の危険があった。
【０００３】
この事故を防止するために、予め包装袋に前記加熱で発生する圧力を逃がすための弁体を装着する電子レンジ対応型包装袋（特許文献１）が提案されていた。
【０００４】
また、包装袋の側部のヒートシール部に一端が側部端に達して開口する未シール部を設けることにより、側部のヒートシール部の巾を未シール部の分だけ狭くし、加熱で発生する圧力により上記巾狭箇所のヒートシールによる貼り合わせ箇所を押し広げて剥離させ、ここから圧力を逃がす電子レンジ対応型包装袋が提案されていた（特許文献２）。
【特許文献１】特許第３００６５２８号公報
【特許文献２】特開２０１６−７４４５７号公報
【発明の開示】
【発明が解決しようとする課題】
【０００５】
しかしながら、前者の公知発明は弁体を装着する手間、工程、材料費により、包装袋の製造コストが嵩む問題があった。また、又、後者の公知発明においては、ヒートシール強度の設定が難しく、電子レンジのマグネトロンの出力が大きかったり、食品の含水量が多いなどの理由により急激に内圧が上昇した場合には、未シール部分による逃圧が機能する前に他の部分も同時に剥離して包装体が破壊するおそれがあったり、仮に未シール部分から逃圧できても大きな破裂音がして内容物が飛び散ったり、需要者を驚かせる問題があった。
【課題を解決するための手段】
【０００６】
本願発明は前記の問題を解消した電子レンジ対応型包装袋を目的として創作されたものである。
【０００７】
すなわち、本願発明の電子レンジ対応型包装袋は、前面フィルムおよび後面フィルムを重ね合わせて底部、両側部の３辺をヒートシールし、残りの一辺を内容物を充填するための開放部とした状態で製袋するとともに、内容物を充填後に封止するための封止箇所を上記開放部に設け、少なくとも一方の側部のヒートシール部に一端が側部端に達して開口する未シール部を設けた包装袋において、一側が前面フィルムと後面フィルム間にして未シール部を含む一方の側部のヒートシール部に、他側が前面フィルムと後面フィルム間にして他方の側部のヒートシール部に積層されるオレフィン系フィルムを設けたことを特徴とする。
【０００８】
また、請求項２記載の発明は、前記の電子レンジ対応型包装袋において、一側が前面フィルムと後面フィルム間にして未シール部を含む一方の側部のヒートシール部に、他側が前面フィルムと後面フィルム間にして他方の側部のヒートシール部に積層されるオレフィン系フィルムはＰＰまたはＰＥを主原料としたイージーピールフィルムであることを特徴とする。
【０００９】
また、請求項３記載の発明は、前記の電子レンジ対応型包装袋において、一側が前面フィルムと後面フィルム間にして未シール部を含む一方の側部のヒートシール部に、他側が前面フィルムと後面フィルム間にして他方の側部のヒートシール部に積層されるオレフィン系フィルムの形状は帯状であることを特徴とする。
【００１０】
また、請求項４記載の発明は、前記の電子レンジ対応型包装袋において、未シール部は包装袋の上側寄りに位置することを特徴とする。
【００１１】
また、請求項５記載の発明は、前記の電子レンジ対応型包装袋において、一側が前面フィルムと後面フィルム間にして未シール部を含む一方の側部のヒートシール部に、他側が前面フィルムと後面フィルム間にして他方の側部のヒートシール部に積層されるオレフィン系フィルムを前面フィルムまたは後面フィルムの一方にヒートシールにより固着したことを特徴とする。
【００１２】
また、請求項６記載の発明は、前記の食品用包装袋において、側部のヒートシール部に包装袋の中央方向に突出した半島状の突出部を設け、未シール部の他端が上記突出部の領域内に達するようにしたことを特徴とする。
【発明の効果】
【００１３】
以上の構成よりなる本願発明の電子レンジ対応型包装袋は内部に食品を収容した後、開放部をヒートシールして封止することにより密封状態に保たれ、この際に一側が前面フィルムと後面フィルム間にして未シール部を含む一方の側部のヒートシール部に、他側が前面フィルムと後面フィルム間にして他方の側部のヒートシール部に積層されるオレフィン系フィルムが介在されてヒートシールされる。
【００１４】
そして、密封状態のまま電子レンジで加熱すると、加熱により食品から蒸散される水蒸気や、包装袋内の空気の熱膨張により包装袋の内圧が高まって膨らむ。水蒸気や膨張した空気は各フィルム同士のヒートシールによる貼り合わせ箇所を押し広げようと作用するが、オレフィン系フィルムが積層された貼り合わせ箇所、すなわち側部のヒートシール部の巾を未シール部の分だけ狭くし、加熱で発生する圧力により上記巾狭箇所のヒートシールによる貼り合わせ箇所を押し広げようと企図した箇所は、オレフィン系フィルムの性質により加熱によりヒートシール強度が低下するようになっているので、企図した通りその箇所が押し広げられて剥離されることにより水蒸気や膨張した空気はそこから外部に逃げ内圧の上昇が抑制され、その他の貼り合わせ箇所が押し広げられることはなく包装袋の破裂が防止されることとなる。
【００１５】
前記の場合、加熱によりヒートシール強度が低下するようになっている箇所は逃圧を企図した未シール部周辺のみで、他の貼り合わせ箇所の強度は保たれているので包装袋の強度が低下して輸送時や衝撃により破裂してしまうことがない。
【００１６】
また、逃圧を企図した未シール部周辺のみのヒートシール強度を低下するよう加工することは困難であるが、本願発明によれば製袋にあたりオレフィン系フィルムを介在させるだけでそれを簡単に実現できるので、製造ラインの変更やコストアップを回避することができる。
【００１７】
本願発明においては逃圧時に内容物が漏れださないように未シール部は包装袋の上側寄りに位置することが望ましい。この場合、請求項５記載の発明のようにオレフィン系フィルムを前面フィルムまたは後面フィルムの一方にヒートシールにより固着すると、オレフィン系フィルムが重ねられることにより包装袋の一面の上側寄り、すなわち開封時の注ぎ口寄りの剛性が増すので需要者にとってこし感がアップして内容物を注ぎやすい効果も得ることができる。
【図面の簡単な説明】
【００１８】
【図１】本願発明の電子レンジ対応型包装袋の斜視図。
【図２】本願発明の電子レンジ対応型包装袋の分解斜視図。        。
【図３】本願発明の電子レンジ対応型包装袋の一部切り欠き斜視図。
【図４】図３のＡ−Ａ線断面図。
【発明を実施するための最良の形態】
【００１９】
以下、本願発明の具体的実施例を添付図面に基づいて説明する。ここでは食品用包装袋としてスタンディングパウチを例にとって実施例を構成する。図１は包装袋の斜視図、図２は包装袋の構造を示すための分解斜視図、同じく図３は一部切り欠き斜視図である。この包装袋は前面フィルム１と後面フィルム２を対向させ、二つ折りしたガゼットフィルム３を折れ目を上にして底部に挟み込み、各フィルムの両側片同士、底辺同士をそれぞれヒートシール部Ｈ１・Ｈ２、Ｈ３としてヒートシールすることにより３辺を封止し、残りの一辺を内容物を充填するための開放部とした状態で製袋される。
【００２０】
この実施例においては包装袋の左側部のヒートシール部Ｈ１の包装袋の上側寄りに逃圧手段を設けている。すなわち、ヒートシール部Ｈ１に一端が側部端に達して開口する未シール部５を設けている。また、この実施例においてはヒートシール部Ｈ１に包装袋の中央方向に突出した半島状の突出部６を設け、未シール部５の他端が上記突出部の領域内に達するようにすることにより未シール部５の三方を囲むように巾狭のヒートシール部を形成している。
【００２１】
図中符号４は製袋時に前面フィルム１と後面フィルム８間に介在されるオレフィン系フィルムである。上記オレフィン系フィルム４はここでは帯状に構成され、一側が前面フィルム１と後面フィルム間２にして未シール部５を含む左側部のヒートシール部Ｈ１に、他側が前面フィルムと後面フィルム間にして右側部のヒートシール部Ｈ２に積層される。オレフィン系フィルム４はこの実施例においてはオレフィン系フィルム４は加熱によりヒートシール強度が低下する性質のものであり、例えばＰＰまたはＰＥを主原料としたイージーピールフィルムが想定される。
【００２２】
また、この実施例ではオレフィン系フィルム４は上下一対のヒートシール部Ｈ４、Ｈ４により後面フィルム２に固着される。
【００２３】
この実施例では前面フィルム１と後面フィルム２は基材層とシーラント層からなる積層フィルムとしており、基材層としてＯＮＹ（延伸ナイロンフィルム）、シーラント層としてＣＰＰ（無延伸ポリプロピレンフィルム）をしてＣＰＰ（無延伸ポリプロピレンフィルム）を使用している。また、ガゼットフィルム３も前記と同様の構成となる。
【００２４】
なお、以上の各フイルムの素材は例示であり、本願発明の作用を実現するものならこれらに限られないことは勿論である。
【００２５】
以上の構成よりなる本願発明の電子レンジ対応型包装袋は、開放部から食品などの内容物を充填した後、封止部に設定したヒートシール対象箇所をヒートシールすることにより封止されて包装詰め食品となる。
【符号の説明】
【００２６】
１        前面フィルム
２        後面フィルム
３        ガゼットフィルム
４        オレフィン系フィルム
５        未シール部
６        突出部
Ｈ１      ヒートシール部
Ｈ２      ヒートシール部
Ｈ３      ヒートシール部
Ｈ４      ヒートシール部
【図１】
2019104497.tif 000003
【図２】
2019104497.tif 000004
【図３】
2019104497.tif 000005
【図４】
2019104497.tif 000006